(57)【要約】【課題】  本発明は異なる医療情報フォーマットを配置する方法及び装置に関し、特に従来技術における異なる医療情報フォーマットが、医者は患者を治す時に生じられる難点を解決することを提供する。なお、本発明が異なる医療情報フォーマットを配置する装置を提供し、該方法を完成することができる。【解決手段】  その方法は異なる医療情報フォーマットを所定のフォーマットに統合的に出力することができ、医者に医療行為を行わせる時に、直に患者の全てのカルテを索引することが可能であり、医者の負荷を減少させる。【選択図】    図１
2007048152.tif 000002
【特許請求の範囲】
【請求項１】
異なる医療情報フォーマットを配置する方法であって、
この方法が、配置プロフィールがあるかどうかを検知するステップと、
保存媒体にある配置プロフィールを読取るステップと、
新しい或いは補正した配置プロフィールを入力するステップと、
当該配置プロフィールを当該保存媒体に保存するステップと、を含むことを特徴とする異なる医療情報フォーマットを配置する方法。
【請求項２】
配置プロフィールがあるかどうかを検知するステップにおいて、はいを検知の結果とする場合は、保存媒体内にある当該配置プロフィールを読取り、いいえを検知の結果とする場合は、空の配置プロフィールを配置することを特徴とする請求項１に記載する異なる医療情報フォーマットを配置する方法。
【請求項３】
配置プロフィールが、内容捕獲補法による情報と、携帯可能の書類フォーマットがフレームであることからなるを搭載することを特徴とする請求項１に記載する異なる医療情報フォーマットを配置する方法。
【請求項４】
当該入力ステップが、新しい配置規定が設定され、或いは元の配置プロフィールの配置規定を補正することを特徴とする請求項１に記載する異なる医療情報フォーマットを配置する方法。
【請求項５】
当該新しい入力し或いは当該配置プロフィールに保存されるを補正するステップが、更に当該配置プロフィールに保存するかどうかことを判断することを含むことを特徴とする請求項１に記載する異なる医療情報フォーマットを配置する方法。
【請求項６】
当該配置プロフィールを保存するかどうかことを判断するステップが、はいを判断の結果とする場合は、当該配置プロフィールを当該保存媒体に保存することを特徴とする請求項５に記載する異なる医療情報フォーマットを配置する方法。
【請求項７】
異なる医療情報フォーマットを配置する内容捕獲方法であって、
複数個の異なる医療情報フォーマット書類を順に入力するステップと、
配置プロフィールの配置規定に従って、これら異なる医療情報フォーマット書類内に所定のフォーマットを捕獲するステップと、
適当なプロセスを行い、当該配置プロフィールの配置規定に合わせて、これらの異なる医療情報フォーマット書類を所定フォーマットにより適当なプロセスとするステップと、
これらの異なる医療情報フォーマット書類が適当なプロセスに合うかどうかを判断するステップと、
内容捕獲記録を増加するステップと、を含むことを特徴とする異なる医療情報フォーマットを配置する内容捕獲方法。
【請求項８】
これらの異なる医療情報フォーマットが、書類処理ソフトウェアによる医療情報フォーマット、一定ソース位置決め（URL）からなるホームページ、或いは任意の医療情報フォーマットからなる医療情報フォーマットであることを特徴とする請求項７に記載する異なる医療情報フォーマットを配置する内容捕獲方法。
【請求項９】
当該配置プロフィールが、内容捕獲補法による情報と、携帯可能の書類フォーマットがフレームであることからなるを搭載することを特徴とする請求項７に記載する異なる医療情報フォーマットを配置する内容捕獲方法。
【請求項１０】
当該配置プロフィールの規定が、認識コード、患者の名前、性別、符号或いは相互組合いであることを特徴とする請求項７に記載する異なる医療情報フォーマットを配置する内容捕獲方法。
【請求項１１】
当該配置プロフィールの規定が、面白い区域（region of interesting）であることを特徴とする請求項７に記載する異なる医療情報フォーマットを配置する内容捕獲方法。
【請求項１２】
当該適当なプロセスがキーワード／符号のマッチ、面白い区域のマッチ或いは相互組合いのマッチであることを特徴とする請求項７に記載する異なる医療情報フォーマットを配置する内容捕獲方法。
【請求項１３】
当該キーワード／符号のマッチ形態が、予めに定義端であることを特徴とする請求項１２に記載する異なる医療情報フォーマットを配置する内容捕獲方法。
【請求項１４】
当該面白い区域のマッチ形態が、一部に或いは全てに当該面白い区域文字にあることを特徴とする請求項１２に記載する異なる医療情報フォーマットを配置する内容捕獲方法。
【請求項１５】
当該これらの異なる医療情報フォーマット書類が、適当なプロセスに合うかどうかを判断するステップにおいて、はいを判断の結果とする場合は、内容捕獲記録を増加し、逆にいいえを判断の結果とする場合は、これらの異なる医療情報フォーマット書類の全てを当該配置プロフィールに従って完全に処理するかどうかを判断することを特徴とする請求項７に記載する異なる医療情報フォーマットを配置する内容捕獲方法。
【請求項１６】
全ての当該配置プロフィールを完全に処理するかどうかを判断するステップにおいて、はいを判断の結果とする場合は、判断ステップを終わり、逆にいいえを判断の結果とする場合は、次に入力される異なる医療情報フォーマットに、内容捕獲のステップを行うことを特徴とする請求項１５に記載する異なる医療情報フォーマットを配置する内容捕獲方法。
【請求項１７】
異なる医療情報フォーマットを配置する装置であって、
それが、これらの異なる医療情報フォーマットの書類を納める書類入力ユニットと、
当該書類入力ユニットにある当該異なる医療情報フォーマットの書類が内容捕獲方法により当該配置プロフィールに合うこれらの異なる医療情報フォーマットの書類を捕獲させる捕獲ユニットと、
捕獲ユニットにより当該配置プロフィールに合うこれらの異なる医療情報フォーマットの書類を所定のフォーマットにより所定フォーマットの書類に設定される配置書類ユニットと、
所定フォーマットの書類を行う出力の書類出力のユニットと、含むことを特徴とする異なる医療情報フォーマットを配置する装置。
【発明の詳細な説明】
【技術分野】
【０００１】
本発明は異なる医療情報フォーマットを配置する方法及び装置に関し、特に配置プロフィールにより入力された異なる医療情報フォーマットを、所定フォーマット書類を索引可能に変換する方法及び装置である。
【背景技術】
【０００２】
病院のカルテが入院乃至出院の資料と記載されている。中でも、累計の書類は数えきれない。これらの数えきれない書類は医療人員を通じて各科の要求をコンピユータ内部に入力されて所定のフォーマットとなる。夫々の科別がソフトワエアの設計の異なるので、生じられる所定のフォーマットにも異なる。例えば、耳鼻科はワードプロセッサーソフトにより全ての患者資料を書類フォーマットに作成させ、歯科はエクセルソフトにより全ての患者資料を書類フォーマットに作成させ、或いは別の科別は専用のソフトを利用し、全ての患者資料を作成する。この場合は病院内では、患者資料を統合し、治療しようとするに、医者の手元で複数の異なるフォーマットの医療資料報告を呈したり、医者のコンピユータに複数の応用ソフトウェアをインストールする必要があり、異なるフォーマットの医療資料報告を開くことを発生し、こうして、医者と患者の不便となってしまう。
【０００３】
従って、現在は複数の関連する分類検索技術は前記の問題を解決することにあり。例えば、台湾の特許公報第548557号の「インターネット電子書類の高速分類検索と、相互接続の方法及び、システム」について資料提供端に予定の書類記載フォーマット下で、電子書類を完成させ、かつ、関連する電子書類に相互接続を自動的に発生させる方法とシステムのことを開示させている。ユーザー端に直に検索された関連の資料結果を取るとともに、接続の機能を有する。
【０００４】
なお、例えば、台湾の特許公報第573258号の「書類内容とメタ資料（meta data）の対応方法」については概念とキーワードの対比を結合し、書類内容における適当段落を、メタ資料が制定された異なるラベルの書類内容とメタ資料とに自動的に対応する対応方法を開示されている。
【０００５】
更に、台湾の特許公報第594532号の「医学資料システムと、システムに応用されてカルテを統合する方法」の如く、各病院或いは各科部のカルテに配分される該患者を、ユーザー端完全に統合する方法を掲示されている。当該方法はあるカルテに対応する論理医学名称を読取って医療情報システムにデタベースから複数の資料を取り出させ、かつ、当該論理医学名称に対応する一集合対象に統合し、当該集合対象を当該端末機器へ伝送するとともに表示されることを利用する。
【０００６】
なお、台湾の特許公報第1220485号の「書類変換と、類似ノート選択を結合する複数条件検索の装置と方法」の如く、書類変換と、類似ノート選択の技術により、複数条件検索を行う書類に応用することを掲示されている。有効に従来技術で突破できない欠点を解決する。
【特許文献１】台湾特許第548557号明細書
【特許文献２】台湾特許第573258号明細書
【特許文献３】台湾特許第1220485号明細書
【発明の開示】
【発明が解決しようとする課題】
【０００７】
本発明人は従来技術における異なる医療情報フォーマットが可索引の書類に統合できないために、「異なる医療情報フォーマットを配置する方法及び装置」を提供することにする。異なる医療情報フォーマットにおいて、可索引の書類を出力することが可能である。
【課題を解決するための手段】
【０００８】
前記の目的を達成するために、本発明は第１発明として、異なる医療情報フォーマットを配置する方法を提供し、該方法は配置プロフィール（configuration profile）があるかどうかを検知するステップと、保存媒体に保存する配置プロフィールを読取るステップと、新しい或いは補正した配置プロフィールを入力するステップと、当該配置プロフィールを当該保存媒体に保存するステップと、を含む。
【０００９】
また、本発明は異なる医療情報フォーマットを配置する装置を提供し、前記を行う方法を合わせる。本発明の装置はこれらの異なる医療情報フォーマットの書類を納める書類入力ユニットと、当該書類入力ユニットにある当該異なる医療情報フォーマットの書類を、内容捕獲方法により当該配置プロフィールに合うこれらの異なる医療情報フォーマットの書類を捕獲させる捕獲ユニットと、捕獲ユニットにより当該配置プロフィールに合うこれらの異なる医療情報フォーマットの書類を所定のフォーマットにより所定フォーマットの書類に設定される配置書類ユニットと、所定フォーマットの書類を行う出力動作の書類出力のユニットと、含む。
【００１０】
また、本発明は第２発明として、配置プロフィールがあるかどうかを検知するステップにおいて、はいを検知の結果とする場合は、保存媒体内にある当該配置プロフィールを読取り、いいえを検知の結果とする場合は、空の配置プロフィールを配置することを特徴とする第１発明に係る異なる医療情報フォーマットを配置する方法を含む。
【００１１】
また、本発明は第３発明として、配置プロフィールが、内容捕獲補法による情報と、携帯可能の書類フォーマットがフレームであることからなるを搭載することを特徴とする第１発明に係る異なる医療情報フォーマットを配置する方法を含む。
【００１２】
また、本発明は第４発明として、当該入力ステップが、新しい配置規定が設定され、或いは元の配置プロフィールの配置規定を補正することを特徴とする第１発明に係る異なる医療情報フォーマットを配置する方法を含む。
【００１３】
また、本発明は第５発明として、当該新しい入力し或いは当該配置プロフィールに保存されるを補正するステップが、更に当該配置プロフィールに保存するかどうかことを判断することを含むことを特徴とする第１発明に係る異なる医療情報フォーマットを配置する方法を含む。
【００１４】
また、本発明は第６発明として、当該配置プロフィールを保存するかどうかことを判断するステップが、はいを判断の結果とする場合は、当該配置プロフィールを当該保存媒体に保存することを特徴とする第五発明に係る異なる医療情報フォーマットを配置する方法を含む。
【００１５】
また、本発明は第７発明として、異なる医療情報フォーマットを配置する内容捕獲方法であって、複数個の異なる医療情報フォーマット書類を順に入力するステップと、配置プロフィールの配置規定に従って、これら異なる医療情報フォーマット書類内に所定のフォーマットを捕獲するステップと、適当なプロセスを行い、当該配置プロフィールの配置規定に合わせて、これらの異なる医療情報フォーマット書類を所定フォーマットにより適当なプロセスとするステップと、これらの異なる医療情報フォーマット書類が適当なプロセスに合うかどうかを判断するステップと、内容捕獲記録を増加するステップと、を含むことを特徴とする異なる医療情報フォーマットを配置する内容捕獲方法を含む。
【００１６】
また、本発明は第８発明として、これらの異なる医療情報フォーマットが、書類処理ソフトウェアによる医療情報フォーマット、一定ソース位置決め（URL）からなるホームページ、或いは任意の医療情報フォーマットからなる医療情報フォーマットであることを特徴とする第７発明に係る異なる医療情報フォーマットを配置する内容捕獲方法を含む。
【００１７】
また、本発明は第９発明として、当該配置プロフィールが、内容捕獲補法による情報と、携帯可能の書類フォーマットがフレームであることからなるを搭載することを特徴とする第７発明に係る異なる医療情報フォーマットを配置する内容捕獲方法を含む。
【００１８】
また、本発明は第１０発明として、当該配置プロフィールの規定が、認識コード、患者の名前、性別、符号或いは相互組合いであることを特徴とする第７発明に係る異なる医療情報フォーマットを配置する内容捕獲方法を含む。
【００１９】
また、本発明は第１１発明として、当該配置プロフィールの規定が、面白い区域（region of interesting）であることを特徴とする第７発明に係る異なる医療情報フォーマットを配置する内容捕獲方法を含む。
【００２０】
また、本発明は第１２発明として、当該適当なプロセスがキーワード／符号のマッチ、面白い区域のマッチ或いは相互組合いのマッチであることを特徴とする第７発明に係る異なる医療情報フォーマットを配置する内容捕獲方法を含む。
【００２１】
また、本発明は第１３発明として、当該キーワード／符号のマッチ形態が、予めに定義端であることを特徴とする第１２発明に係る異なる医療情報フォーマットを配置する内容捕獲方法を含む。
【００２２】
また、本発明は第１４発明として、当該面白い区域のマッチ形態が、一部に或いは全てに当該面白い区域文字にあることを特徴とする第１２発明に係る異なる医療情報フォーマットを配置する内容捕獲方法を含む。
【００２３】
また、本発明は第１５発明として、当該これらの異なる医療情報フォーマット書類が、適当なプロセスに合うかどうかを判断するステップにおいて、はいを判断の結果とする場合は、内容捕獲記録を増加し、逆にいいえを判断の結果とする場合は、これらの異なる医療情報フォーマット書類の全てを当該配置プロフィールに従って完全に処理するかどうかを判断することを特徴とする第７発明に係る異なる医療情報フォーマットを配置する内容捕獲方法を含む。
【００２４】
また、本発明は第１６発明として、全ての当該配置プロフィールを完全に処理するかどうかを判断するステップにおいて、はいを判断の結果とする場合は、判断ステップを終わり、逆にいいえを判断の結果とする場合は、次に入力される異なる医療情報フォーマットに、内容捕獲のステップを行うことを特徴とする第１５発明に係る異なる医療情報フォーマットを配置する内容捕獲方法を含む。
【００２５】
また、本発明は第１７発明として、異なる医療情報フォーマットを配置する装置であって、それが、これらの異なる医療情報フォーマットの書類を納める書類入力ユニットと、当該書類入力ユニットにある当該異なる医療情報フォーマットの書類が内容捕獲方法により当該配置プロフィールに合うこれらの異なる医療情報フォーマットの書類を捕獲させる捕獲ユニットと、捕獲ユニットにより当該配置プロフィールに合うこれらの異なる医療情報フォーマットの書類を所定のフォーマットにより所定フォーマットの書類に設定される配置書類ユニットと、所定フォーマットの書類を行う出力の書類出力のユニットと、含むことを特徴とする異なる医療情報フォーマットを配置する装置を含む。
【発明の効果】
【００２６】
本発明によれば、医者に患者を整合に治療させる場合は、高速に索引する動作を提供することができ、複数の異なる医療情報フォーマットの書類を見ることはなく、医者の負荷を低下し一部の書類によって患者のカルテが分る。こうして医者の時間を節約し真剣に診断することが可能である。
【発明を実施するための最良の形態】
【００２７】
本発明が既に設定している技術、方法及び効果をより一層明瞭させるために、下記の本発明に係る詳しい説明と添付図面を参照して本発明の目的、特徴及び特点を説明する。ここにより深く具体的な了解を獲得することが可能である。どころが、添付図面は参考と説明をするだけであり、本発明に限定されるものではない。
【００２８】
既存の医療技術において、普通は患者は病院にある各科に全てのカルテがありますが、各科が制作された医療情報フォーマット書類はやはり異なる。従って、医者が患者のカルテを判断する場合は不便を感じるので、本発明はこの欠点を向上するために成された。
【００２９】
図1は本発明に係る異なる医療情報フォーマットを配置する方法の流れ図を示す。まず、配置プロフィール（configuration profile）があるかどうかを検知し（S100）、配置プロフィールは内容捕獲方法が取り出された情報と携帯可能の書類フォーマットを合わせたフレームにより生じ、例えば、PDFを配置プロフィールとするフレーム書類。配置プロフィールがあるかどうかを検知するステップにおいて、はいを結果とする場合は、保存媒体内に保存する当該配置プロフィールを読取り（S102）、いいえを検知の結果とする場合は、空の配置プロフィールを打ちたてる（S104）。その結果に限らず、新しい或いは補正した配置プロフィールを入力する（S106）。当該入出ステップは新しく設定する配置プロフィール規定或いは元の配置プロフィールを補正する配置プロフィール規定を使用する。
【００３０】
次は当該配置プロフィールを保存するかどうかことを判断する（S108）。はいを判断の結果とする場合は、当該配置プロフィールを当該保存媒体に保存する（S110）、いいえを判断の結果とする場合は、異なる医療情報フォーマットを配置する方法流れの設定によってこの流れを完了し、又は外の設定動作を行う。
【００３１】
図2は本発明に係る異なる医療情報フォーマットを配置する内容捕獲方法の流れ図を示す。複数個の異なる医療情報フォーマット書類を順に入力する（S200）。これらの異なる医療情報フォーマットは書類処理ソフトによる医療情報フォーマット、一定ソース位置決め装置（URL）からなるホームページタイプ医療情報、或いは任意の医療情報フォーマットからなる医療情報フォーマットである。配置プロフィール規定に従って、これらの異なる医療情報フォーマット書類から所定のフォーマットを捕獲し（S202）、当該配置プロフィールは内容捕獲方法が取出された情報と携帯可能の書類フォーマットを合わせたフレームによりなる。適当なマッチプロセスを実行し、配置プロフィールの配置が規定を設定することに合い（S204）、所定のフォーマットから異なる医療情報フォーマット書類を適当なプロセスとし、当該配置プロフィールの規定が、認識コード、患者の名前、性別、符号或いは相互組合いである。また、当該配置プロフィールの規定が、面白い区域（region of interesting）でもよい。当該適当なプロセスがキーワード／符号のマッチ、面白い区域のマッチ或いは相互組合いのマッチである。当該キーワード／符号のマッチ形態が、予めに定義端であり、当該面白い区域のマッチ形態が、一部に或いは全てに当該面白い区域文字にある。
【００３２】
これらの異なる医療情報フォーマット書類が、適当なマッチプロセスに合うかどうかを判断し（S206）、はいを判断の結果とする場合は、内容捕獲記録を増加し（S208）、逆にいいえを判断の結果とする場合は、これらの異なる医療情報フォーマット書類の全てが、当該配置の規定を設定することに従って完全に処理するかどうかを判断する（S210）。全ての当該配置プロフィールを完全に処理するかどうかを判断するステップに、はいを判断の結果とする場合は、判断ステップが終わり、逆にいいえを判断の結果とする場合は、次に入力される異なる医療情報フォーマットに、内容捕獲のステップを行い（S212）、これらの異なる医療情報フォーマット書類の全てが配置プロフィールの規定に従って完全に完成するまで、内容捕獲を継続に行う。
【００３３】
図3Aを参照してキーワード／符号のマッチ形態に係る実施例の概略図を説明する。マッチの形態は例えば、認識コード、患者の名前、性別、符号或いは相互組合い等のキーワードに従うことが可能である。このような取った文字の結果は００００１３２５、李さん（名字）、白ちゃん（名前）及び男である。
【００３４】
図３Bを参照して面白い区域のマッチに係る実施例の概略図を説明する。当該面白い区域のマッチは例えば、認識コード、患者の名前、性別、符号或いは相互組合い等のキーワードに従って、更にキーワードの限定情報18のそれぞれによりその中に含まれる文字を捕獲し、当該限定情報は例えば、横縦座標、縦横座標、高さ及び広さ等の情報であり、捕獲された文字結果は３A図の結果とは同じである。
【００３５】
図4を参照して異なる医療情報フォーマットを配置する装置に係るブロック図を説明する。これらの異なる医療情報フォーマットの書類を納める書類入力ユニット10と、当該書類入力ユニットにある当該異なる医療情報フォーマットの書類が内容捕獲方法により当該配置プロフィールに合うこれらの異なる医療情報フォーマットの書類を捕獲させる捕獲ユニット12と、捕獲ユニットを利用し当該配置プロフィールに合うこれらの異なる医療情報フォーマットの書類を所定のフォーマットにより所定フォーマットの書類に設定される配置設定書類ユニット14と、所定フォーマットの書類が出力の動作を行う出力の書類ユニット16と、含む。
【００３６】
本発明が制作された所定フォーマットの書類は医者に患者を整合に治療させる場合は、高速に索引する動作を提供することができ、複数の異なる医療情報フォーマットの書類を見ることはなく、医者の負荷を低下し一部の書類によると患者のカルテを分る。こうして医者の時間を節約し真剣に診断することが可能である。
【００３７】
本発明は確かに前記の掲示された技術により従来のデザインナと異なる設計を提供し、全体的な利用価値を高めことが可能である。なお、本願は出願する前に公開された雑誌に見っていないので、発明特許の要件に合って特許法に従って出願する。
【００３８】
しかしながら、前記の掲示された図面、説明について、本発明の実施例だけであり、この分野を熟知する者が、前記の説明により各種の変更を行うことが可能である。これらの変更が本発明の発明の精神及びに限定される請求項範囲に属する。
【図面の簡単な説明】
【００３９】
【図１】本発明に係る異なる医療情報フォーマットを配置する方法のフローチャートである。
【図２】本発明に係る異なる医療情報フォーマットを配置する内容捕獲方法のフローチャートである。
【図３Ａ】キーワード／符号のマッチ形態に係る実施例の概略図。
【図３Ｂ】面白い区域のマッチ形態に係る実施例の概略図。
【図４】本発明に係る異なる医療情報フォーマットを配置する装置のブロック概略図である。
【符号の説明】
【００４０】
10．．．．書類入力ユニット
12．．．．捕獲ユニット
14．．．．配置設定書類ユニット
16．．．．書類出力のユニット
18．．．．限定情報
【図１】
2007048152.tif 000003
【図２】
2007048152.tif 000004
【図３Ａ】
2007048152.tif 000005
【図３Ｂ】
2007048152.tif 000006
【図４】
2007048152.tif 000007